(57)【要約】【課題】少量の注文で試すことができ、かつ、好みの飲食店ではなかった場合に遠慮なく退店することを容易にできる飲食店利用促進システム、飲食店利用促進プログラム、および飲食店利用促進方法を提供する。【解決手段】ユーザの操作入力を受け付けるユーザ端末４と、飲食店に関する情報を管理する管理サーバ６と、ユーザに対する料金徴収を実行する決済サーバ２とを備えた飲食店利用促進システムに、記憶部４２に全飲食店共通となる１種類の設定単価を記憶させておき、ユーザ端末４は、利用人数の入力を求める人数確認画面１６０Ａを表示部４２に表示し、利用人数を示す利用人数情報の入力を入力部４３により受け付け、管理サーバ６又はユーザ端末４に、前記設定単価および前記利用人数情報を取得し、当該設定単価に前記利用人数情報の人数を乗算して決済合計金額を求める決済前表示部５０１を備えた。【選択図】図７
2017174366.tif 000002
【特許請求の範囲】
【請求項１】
入力手段と表示手段と通信手段と制御手段とを備えてユーザの操作入力を受け付けるユーザ端末と、
前記ユーザ端末との通信を許容し飲食店に関する情報を管理する管理サーバと、
前記ユーザ端末により入力送信された決済情報に基づいてユーザに対する料金徴収を実行する決済サーバとを備え、
前記ユーザ端末または前記管理サーバもしくはその他の装置に設けられた記憶手段に全飲食店共通となる１種類の設定単価を記憶させておき、
前記ユーザ端末は、
利用人数の入力を求める利用人数入力要請画面を前記表示手段に表示し、
前記利用人数を示す利用人数情報の入力を前記入力手段により受け付け、
前記管理サーバ又は前記ユーザ端末に、前記設定単価および前記利用人数情報を取得し、当該設定単価に前記利用人数情報の人数を乗算して決済合計金額を求める合計金額算出手段を備えた
飲食店利用促進システム。
【請求項２】
前記入力手段は、前記飲食店を識別する飲食店識別情報の入力を受け付ける構成であり、
前記管理サーバは、前記飲食店識別情報と、前記ユーザ識別情報と、前記利用人数または前記決済合計金額とで構成される入店履歴情報を記憶する記憶手段を備え、
前記決済サーバでの決済においては前記飲食店識別情報を用いずに前記ユーザ識別情報を用いてユーザに対する課金を実施し、
前記飲食店に対しては前記入店履歴情報を用いて売上分配を実施可能とする構成である
請求項１記載の飲食店利用促進システム。
【請求項３】
前記入力手段は、
ユーザの操作による前記利用人数の入力を受け付ける接触操作型入力手段と、
飲食店を識別可能な位置情報を取得するＧＰＳユニットあるいは飲食店に設置された識別コードを読み取るリーダーユニットで構成される非接触型入力手段とで構成され、
前記接触操作型入力手段により取得される利用人数情報と、前記非接触型入力手段により取得される飲食店識別情報と、前記ユーザ端末の記憶手段より取得されるユーザ識別情報という異なる３経路から取得した情報を用いてユーザに対する課金および飲食店に対する売上分配を可能として金銭授受を完結する構成である
請求項２記載の飲食店利用促進システム。
【請求項４】
前記利用人数の入力を受け付ける入力手段は、
押下もしくはタッチによって人数の増減を実現する一人加算ボタンと一人減算ボタンを有する利用人数入力要請画面によって構成されている
請求項１、２または３記載の飲食店利用促進システム。
【請求項５】
前記利用人数入力要請画面は、
初期表示設定として利用人数に０または１が設定されている
請求項４記載の飲食店利用促進システム。
【請求項６】
前記課金が無事完了した後に、課金実施日時、飲食店名、および利用人数を表示する受付完了画面を前記ユーザ端末の表示手段に表示する構成である
請求項２記載の飲食店利用促進システム。
【請求項７】
入力手段と表示手段と通信手段と制御手段とを備えてユーザの操作入力を受け付けるユーザ端末と、
前記ユーザ端末との通信を許容し飲食店に関する情報を管理する管理サーバと、
前記ユーザ端末により入力送信された決済情報に基づいてユーザに対する料金徴収を実行する決済サーバとを備え、
前記ユーザ端末または前記管理サーバもしくはその他の装置に設けられた記憶手段に飲食店の設定単価を記憶させておき、
前記ユーザ端末は、
利用人数の入力を求める利用人数入力要請画面を前記表示手段に表示し、
前記利用人数を示す利用人数情報とポイントを利用するポイント利用人数を示すポイント利用人数情報の入力を前記入力手段により受け付け、
前記管理サーバ又は前記ユーザ端末に、前記設定単価と前記利用人数情報と前記ポイント利用人数情報を取得し、前記利用人数情報の人数から前記ポイント利用人数情報の人数を減算した値に当該設定単価を乗算して決済合計金額を求める合計金額算出手段を備えた
飲食店利用促進システム。
【請求項８】
前記入力手段は、
前記ポイント利用人数情報の入力に際して、前記利用人数情報の人数より多い人数に決定できないようにするポイント利用人数入力制限手段を備えた
請求項７記載の飲食店利用促進システム。
【請求項９】
入力手段と表示手段と通信手段と制御手段とを備えてユーザの操作入力を受け付けるユーザ端末にインストールされ、
前記ユーザ端末との通信を許容し飲食店に関する情報を管理する管理サーバ、および、前記ユーザ端末により入力送信された決済情報に基づいてユーザに対する料金徴収を実行する決済サーバと通信する機能を有する飲食店利用促進プログラムであって、
前記ユーザ端末または前記管理サーバもしくはその他の装置に設けられた記憶手段に全飲食店共通となる１種類の設定単価を記憶させておき、
利用人数の入力を求める利用人数入力要請画面を前記表示手段に表示する表示機能と、
前記利用人数を示す利用人数情報の入力を前記入力手段により受け付ける入力受付機能と、
前記管理サーバ又は前記ユーザ端末に、前記設定単価および前記利用人数情報を取得し、当該設定単価に前記利用人数情報の人数を乗算して決済合計金額を求める合計金額算出機能と、
前記決済合計金額および前記ユーザ端末の記憶手段に記憶されているユーザ識別情報に基づく決済を実行する決済機能とを備えた
飲食店利用促進プログラム。
【請求項１０】
入力手段と表示手段と通信手段と制御手段とを備えてユーザの操作入力を受け付けるユーザ端末と、
前記ユーザ端末との通信を許容し飲食店に関する情報を管理する管理サーバと、
前記ユーザ端末により入力送信された決済情報に基づいてユーザに対する料金徴収を実行する決済サーバとを備えた飲食店利用促進システムにより飲食店の利用を促進する飲食店利用促進方法であって、
前記ユーザ端末または前記管理サーバもしくはその他の装置に設けられた記憶手段に全飲食店共通となる１種類の設定単価を記憶させておき、
前記ユーザ端末により、
利用人数の入力を求める利用人数入力要請画面を前記表示手段に表示し、
前記利用人数を示す利用人数情報の入力を前記入力手段により受け付け、
前記管理サーバ又は前記ユーザ端末により、前記設定単価および前記利用人数情報を取得し、当該設定単価に前記利用人数情報の人数を乗算して決済合計金額を求める
飲食店利用促進方法。
【発明の詳細な説明】
【技術分野】
【０００１】
この発明は、例えば、飲食店の利用を促進するような飲食店利用促進システム、飲食店利用促進プログラムおよび、飲食店利用促進方法に関する。
【背景技術】
【０００２】
従来、来店を促すサービスとして、様々な取組が行われている。例えば、新規ユーザーやライトユーザーの来店や取引を、特典付与によって効果的に行う電子マネーシステムが提案されている（特許文献１参照）。このシステムは、繰り返し特典を付与することを防止しつつ、新規ユーザーやライトユーザーに特典付与することを特徴としている。
【０００３】
また、利用者が来店したことをほぼ正確に認識し、様々なサービスを提供可能とする来店セッション管理システムが提供されている（特許文献２参照）。このシステムは、ＩＣカードを利用することで精度よく来店を認識し、正確な情報に基づいて様々なサービスを付与するものである。
【０００４】
一方で、飲食店を利用するユーザーは、入店経験のない飲食店を利用することに不安を持っている。この不安には、例えば、予算が不明であるために費用がかかりすぎるかもしれないという不安、味が不明であるために美味しくない店に入ってしまうかもしれないという不安、一度入店してしまうと少量の注文だけでは退店しづらいために高い料理や美味しくない料理をある程度注文せざるを得なくなるかもしれないという不安等がある。
【０００５】
特に居酒屋のように複数の料理と複数杯の飲み物を注文することが通常であるような飲食店においては、このような不安があると未経験の飲食店に入るには勇気が必要であるという問題点がある。
【０００６】
しかし、従来技術のポイントやサービスの付与は、利用した後のサービスであることから、未経験の飲食店に初めて入店することに対する心理的障壁を解消できるものではなかった。
【先行技術文献】
【特許文献】
【０００７】
【特許文献１】特開２００８−２８７５２２号公報
【特許文献２】特開２０１２−２２６５６１号公報
【発明の概要】
【発明が解決しようとする課題】
【０００８】
この発明は、上述の問題に鑑みて、少量の注文で試すことができ、かつ、好みの飲食店ではなかった場合に遠慮なく退店することを容易にできる飲食店利用促進システム、飲食店利用促進プログラム、および飲食店利用促進方法を提供し、利用者に対して様々な飲食店を気軽に試すことで気に入った飲食店を増加させて生活の豊かさを向上させるとともに、飲食店に対して新規顧客の来店数を増加させて飲食店経営者の満足度を向上させることを目的とする。
【課題を解決するための手段】
【０００９】
この発明は、入力手段と表示手段と通信手段と制御手段とを備えてユーザの操作入力を受け付けるユーザ端末と、前記ユーザ端末との通信を許容し飲食店に関する情報を管理する管理サーバと、前記ユーザ端末により入力送信された決済情報に基づいてユーザに対する料金徴収を実行する決済サーバとを備え、前記ユーザ端末または前記管理サーバもしくはその他の装置に設けられた記憶手段に全飲食店共通となる１種類の設定単価を記憶させておき、前記ユーザ端末は、利用人数の入力を求める利用人数入力要請画面を前記表示手段に表示し、前記利用人数を示す利用人数情報の入力を前記入力手段により受け付け、前記管理サーバ又は前記ユーザ端末に、前記設定単価および前記利用人数情報を取得し、当該設定単価に前記利用人数情報の人数を乗算して決済合計金額を求める合計金額算出手段を備え、前記管理サーバは、前記決済合計金額および前記ユーザ端末の記憶手段に記憶されているユーザ識別情報に基づく決済を前記決済サーバに対して実行する構成である飲食店利用促進システムであることを特徴とする。
【発明の効果】
【００１０】
この発明により、少量の注文で試すことができ、かつ、好みの飲食店ではなかった場合に遠慮なく退店することを容易にできる飲食店利用促進システムを提供できる。
【図面の簡単な説明】
【００１１】
【図１】飲食店利用促進システムのシステム構成を示すブロック図。
【図２】入店系の処理を示す機能ブロック図。
【図３】検索系の処理を示す機能ブロック図。
【図４】履歴系の処理を示す機能ブロック図。
【図５】更新履歴の処理を示す機能ブロック図。
【図６】ユーザ端末の画面を示す画面説明図。
【図７】ユーザ端末の画面を示す画面説明図。
【図８】ユーザ端末の画面を示す画面説明図。
【図９】実施例２の入店系の処理を示す機能ブロック図。
【図１０】実施例２の検索系の処理を示す機能ブロック図。
【図１１】実施例２の履歴系の処理を示す機能ブロック図。
【図１２】実施例２の設定系の処理を示す機能ブロック図。
【図１３】実施例２の設定系の処理を示す機能ブロック図。
【図１４】実施例２の更新履歴の処理を示す機能ブロック図。
【図１５】実施例２のユーザ端末の画面を示す画面説明図。
【図１６】実施例２のユーザ端末の画面を示す画面説明図。
【図１７】実施例２のユーザ端末の画面を示す画面説明図。
【発明を実施するための形態】
【００１２】
以下、この発明の一実施形態を図面と共に説明する。
【実施例１】
【００１３】
図１は、飲食店利用促進システム１のシステム構成を示すブロック図である。  
飲食店利用促進システム１は、インターネット９に通信可能に接続された決済サーバ２、ユーザ端末４、および管理サーバ６により構成されている。また、インターネット９には、各種ホームページ等を提供する複数の外部ＷＥＢサーバ８が接続されている。
【００１４】
決済サーバ２は、制御部２１、記憶部２２、入力部２３、表示部２４、および通信部２５を備えている。  
ユーザ端末４は、制御部４１、記憶部４２、入力部４３、表示部４４、および通信部４５を備えている。  
管理サーバ６は、制御部６１、記憶部６２、入力部６３、表示部６４、および通信部６５を備えている。
【００１５】
決済サーバ２と管理サーバ６は、サーバコンピュータで構成されており、ユーザ端末４はスマートフォン等の移動体端末により構成されている。いずれもハードウェア要素としてＣＰＵとＲＯＭとＲＡＭ等で構成されて各種演算や制御動作を実行する制御部（２１、４１、６１）、ハードディスクやフラッシュメモリ等で構成されて情報のリードライトを許容する記憶部（２２、４２、６２）、タッチパネルやキーボードやマウスや押下ボタンやこれらの複数で構成されて接触操作による入力を受け付ける入力部（２３、４３、６３）、液晶ディスプレイや有機ＥＬディスプレイ等で構成されて文字や図等の画像を表示する表示部（２４、４４、６４）、およびＬＡＮボードやＷＩＦＩユニット等で構成されて有線または無線での通信を実行する通信部（２５、４５、６５）を備えている。
【００１６】
決済サーバ２の記憶部２２は、ユーザ端末４からクレジットカード情報等の決済用のユーザ識別情報を取得して当該ユーザ識別情報のクレジットカード番号等に課金を行う決済処理を実行する決済ＰＧ（プログラム）３１と、決済に必要な情報を記憶する決済ＤＢ（データベース）３２が記憶されている。
【００１７】
ユーザ端末４は、ユーザの操作入力に応じて本システムにおける各種動作を実行するためのユーザアプリ５１と、本システムの利用に必要となるユーザデータ５２と、インターネット上のホームページ等にアクセスするブラウザアプリ５３とが記憶されている。
【００１８】
また、ユーザ端末４は、入力部４３としてタッチ入力を受け付けるタッチパネル４３ａ（接触操作型入力手段）、押下操作を受け付ける押下ボタン４３ｂ、無線通信による入力および出力を行うＢｌｕｅＴｏｏｔｈ（登録商標）４３ｃ、位置情報を取得するＧＰＳ４３ｄ、写真撮影によってバーコードを含む画像および映像を取得するカメラ４３ｅを備えている。なお、ＢｌｕｅＴｏｏｔｈ（登録商標）４３ｃ、ＧＰＳ４３ｄ、およびカメラ４３ｅは、店舗ＩＤを無線通信や位置情報やバーコードから取得できる非接触型入力手段としても機能する。
【００１９】
管理サーバ６は、本システムにおける情報管理に必要な管理ＰＧ７１と、飲食店に関する店舗情報（店舗ＩＤ、店舗名、店舗住所、店舗緯度経度、店舗電話番号、店舗紹介情報等）をまとめた店舗ＤＢ７２、本システムに用いる写真をＩＤ等で整理して保存する写真ＤＢ７３、ユーザ別の入店履歴（入店履歴情報）を保存する入店履歴ＤＢ７４、ユーザ別のお気に入り店舗の店舗ＩＤ（飲食店識別情報）等を記憶するお気に入り履歴ＤＢ７５、および、更新履歴情報を記憶する更新履歴ＤＢ７６が記憶されている。
【００２０】
外部ＷＥＢサーバ８は、制御部、記憶部、通信部、入力部、表示部を備えたＷＥＢサーバで構成されており、記憶部に記憶されているホームページデータを外部からアクセスしてきたユーザ端末４等の端末へ送信し、ホームページ閲覧を許容する。
【００２１】
図２は、入店系の処理を示す機能ブロック図であり、図３は、検索系の処理を示す機能ブロック図であり、図４は、履歴系の処理を示す機能ブロック図であり、図５は、更新履歴の処理を示す機能ブロック図である。また、図６〜図８は、各処理においてユーザ端末４の表示部４４に表示する画面を示す画面説明図である。各機能部は、ユーザ端末４にインストールされたユーザアプリ５１によって動作する機能部であり、表示部４４に表示した画面のオブジェクトに対するタッチ（若しくは押下。以下同じ）を入力部４３のタッチパネル４３ａで検出し、画面遷移、表示内容の変更、文字入力状態への移行、飲食店の端末からの飲食店識別情報の読み取り実行状態への移行等の適宜の動作を実行する。
【００２２】
図２に示すように、入店系の処理を実行するとき、ユーザアプリ５１に従って動作するユーザ端末４の制御部４１は、起動ページ機能部１１０、トップ機能部１２０、設定機能部１３０、番号入力機能部１４０、店舗確認機能部１５０、人数選択機能部１６０、専用ブラウザ機能部５００、および決済完了機能部１７０として機能する。
【００２３】
起動ページ機能部１１０は、ユーザ端末４においてユーザアプリ５１が起動されたときに、記憶部４２から制御部４１のメモリ（ＲＯＭやＲＡＭ等）にユーザアプリ５１を読み込むと共に、予め設定されている起動ページ画像（図示省略）を表示部４４に初期表示し、読み込みが完了すると図６（Ａ）のトップ画面１２０Ａを表示する。
【００２４】
トップ機能部１２０は、トップ画面１２０Ａ上で操作される機能を有している。トップ機能部１２０は、更新情報ボタン１０１がタッチされると更新情報画面４１０Ａ（図８（Ｑ）参照）を表示し、設定ボタン１０３がタッチされると設定画面１３０Ａ（図６（Ｂ）参照）を表示し、現在位置ボタン１２１がタッチされると個別地図（図８（Ｏ）参照）を表示し、お店に入るボタン１２２がタッチされると入店受付画面１４０Ａ（図６（Ｄ）参照）を表示し、お店を探すボタン１２３がタッチされると店舗一覧画面２１０Ａ（図７（Ｉ）参照）を表示し、履歴を見るボタン１２４がタッチされると入店履歴画面３１０Ａ（図８（Ｐ）参照）を表示する。
【００２５】
設定機能部１３０は、設定画面１３０Ａ上で操作される機能を有しており、トップ画面ボタン１０２がタッチされるとトップ画面１２０Ａ（図６（Ａ）参照）を表示する。設定機能部１３０は、設定画面１３０Ａ上でユーザーＩＤ入力部１３１およびパスワード入力部１３２によりユーザーＩＤとパスワードの入力を受け付け、ログインボタン１３３がタッチされるとログイン処理を実行し、新規登録はコチラボタン１３４がタッチされると別途の新規登録画面（図示省略。例えばブラウザアプリ５３によって新規登録用のホームページにアクセスして登録処理を行う）を表示し、その他処理部１３５がタッチされるとタッチされた項目に従ってパスワードの変更処理、お知らせの表示処理、利用規約の表示処理、特定商取引法に関する表記の表示処理、お問い合わせの受付処理を実行する。
【００２６】
また、設定機能部１３０は、ログインが完了している状態で設定画面１３０Ａを表示するとき、設定画面１３０Ｂ（図６（Ｃ）参照）を表示する。この設定画面１３０Ｂには，ログインＩＤ（ユーザ識別情報）を表示するログインＩＤ表示部１３６と、タッチされるとログアウトを行うログアウトボタン１３７と、前述したトップ画面ボタン１０２およびその他処理部１３５が表示されている。
【００２７】
番号入力機能部１４０は、入店受付画面１４０Ａ（図６（Ｄ）参照）を表示する。番号入力機能部１４０は、店舗番号入力部１４１に店舗ＩＤが入力されるか飲食店に設置された店舗端末にタッチして店舗識別情報を取得すると、この店舗識別情報に対応する店舗の店舗情報を店舗ＤＢ７２から取得して入店受付画面１５０Ａを表示する。ここで、番号入力機能部１４０は、ＧＰＳ４３ｄを利用して位置情報を取得し、当該位置情報から推定される飲食店を管理サーバ６の店舗ＤＢ７２からピックアップし、候補となる飲食店の店舗ＩＤを選択可能に表示してもよい。この場合、店舗ＩＤの入力を容易にすることができる。また、逆に、入力された店舗ＩＤが間違いではないか、ＧＰＳ４３ｄで取得した位置情報と管理サーバ６の店舗ＤＢ７２から取得した店舗の位置情報を比較し、遠すぎる場合にエラーを表示する構成としてもよい。このようにすることで、入力間違いを防止でき、徴収した料金を、飲食物を提供した店舗とは異なる店舗に誤って振り込むといったことを防止できる。
【００２８】
店舗確認機能部１５０は、店舗情報に含まれるＵＲＬ（アドレス）を利用して写真ＤＢ７３から写真データを取得し、この写真データも含めた店舗詳細情報を示す入店受付画面１５０Ａを表示する。店舗確認機能部１５０は、店舗の詳細情報を示す店舗詳細情報表示部１５１と、利用人数（利用人数情報）の入力を求める人数確認画面１６０Ａへ画面遷移する人数確認へボタン１５２が表示されている。
【００２９】
人数選択機能部１６０は、人数確認画面１６０Ａ（利用人数入力要請画面）を表示する。人数選択機能部１６０は、初期表示として０（または１でも良い）を表示し増減操作に応じて人数をリアルタイムに表示する人数表示部１６１と、タッチされると人数を一人ずつ増加できる増加ボタン１６２と、タッチされると人数を一人ずつ減少できる減少ボタン１６３と、入店受付画面１６０Ｂ（決済画面）を表示して専用ブラウザ機能部５００による決済処理へ進める支払に進むボタン１６４とが表示されている。
【００３０】
専用ブラウザ機能部５００は、決済前表示部５０１と、代行サイト部５０２と、結果ページ部５０３とで構成されている。  
決済前表示部５０１は、入店受付画面１６０Ｂを表示し、支払画面へボタン１６６がタッチされると代行サイト部５０２による支払情報入力画面へ移行する。ここで、決済前表示部５０１は、人数選択機能部１６０から受け取った利用人数にユーザアプリ５１内に記憶している設定単価を乗算して算出した決済金額（決済合計金額）を、日時、店舗番号、店舗名、ユーザＩＤ、および開始区分とともに入店履歴ＤＢ７４に登録し、その上で決済ＤＢ３２にアクセスする前のページとして入店受付画面１６０Ｂを表示する。この決済金額を算出する決済前表示部５０１は、合計金額算出手段として機能する。
【００３１】
ここで、設定単価は、税込価格で記憶されており、消費税率の変動があった場合に税込価格を更新するだけで適切に計算されるように構成されている。なお、この設定単価は、本体価格と消費税率で構成され、消費税率の変動があった場合も本体価格を変えることなく消費税率を更新するだけで適切に計算できるように構成してもよい。また、この設定単価に関する情報は、ユーザアプリ５１内に直接コードとして記憶するに限らず、ユーザデータ５２に記憶する、あるいは管理サーバ６の記憶部６２に記憶するなど、アクセス可能な適宜の記憶部に記憶することができる。この場合でも、消費税計算を適切に実行することができる。なお、ユーザアプリ５１等のユーザ端末４内に設定単価を記憶している場合、利用人数の変化による合計金額の再計算を無通信で即座に実行できるが、ユーザアプリ５１やユーザデータ５２が更新されていなければ消費税率の変動等による設定単価の変動が反映されないこととなる。このため、管理サーバ６にも設定単価を記憶しておき、決済を行う適宜の時点で、管理サーバ６の設定単価を用いてユーザ端末４の設定単価（若しくは合計金額）が適切か否か照合し、不適切であればユーザアプリ５１やユーザデータ５２のアップデートを要求又は実行し、アップデート完了するまで決済できない構成とすることが好ましい。また、設定単価と利用人数による合計金額の演算は、ユーザ端末４または管理サーバ６のどちらで行う構成としてもよい。
【００３２】
また、管理サーバ６を管理運営するシステム運営事業者は、入店履歴ＤＢ７４の記録を予め定めた所定期間毎（例えば１週間毎、２週間毎、１ヶ月毎など）に店舗単位で集計し、各店舗の銀行口座に対して合計金額から手数料を差し引いた分配料金を振り込む。これにより、店舗に対する料金の支払いを確実に実行できる。
【００３３】
代行サイト部５０２では、決済代行会社が管理運営する決済ＤＢ３２から手続きページを読み込んで表示し、決済ＩＤ、日時、金額、決済方法、およびカード番号といった決済に必要な項目の入力をユーザに求め、入力されたユーザ決済情報を決済ＤＢ３２に送信して決済を依頼する。
【００３４】
決済ＤＢ３２により決済された決済結果を受信した専用ブラウザ機能部５００は、結果ページ部５０３により決済結果を示すページを表示し、受付完了画面１７０Ｂに遷移する。ここで、結果ページ部５０３は、入店履歴ＤＢ７４に記憶されている決済ステータスを未決済から決済完了へ更新する。
【００３５】
決済完了機能部１７０は、受付完了画面１７０Ｂを表示する。この受付完了画面１７０Ｂには、決済結果として受付日時、店舗番号、店名、および人数（利用人数）を示す決済情報表示部１７１と、タッチされるとトップ画面１２０Ａを表示するＴＯＰへ戻るボタン１７２が表示されている。
【００３６】
図３に示すように、検索系の処理を実行するとき、ユーザアプリ５１に従って動作するユーザ端末４の制御部４１は、トップ機能部１２０、検索リスト機能部２１０、条件変更機能部２２０、一覧地図機能部２３０、店舗詳細機能部２４０、設定機能部１３０、及び個別地図機能部２５０として機能する。
【００３７】
トップ機能部１２０は、上述したトップ画面１２０Ａを表示する。トップ機能部１２０は、履歴を見るボタン１２４（図６（Ａ）参照）がタッチされると、お気に入り履歴ＤＢ７５からお気に入り店舗一覧情報を取得し、入店履歴ＤＢ７４から入店履歴情報を取得して、お気に入り店舗と入店履歴のある店舗を一覧表示する。エリア番号を検索リスト画面２１０に送信する。ここでエリア番号は、都道府県単位で付与した番号、あるいは市区町村単位で付与した番号など適宜の単位で地域別に付与した番号とすることができる。このエリア番号は、制御部４１によって、ユーザ端末４のＧＰＳ４３ｄにより取得された位置情報が該当するエリアのエリア番号に設定される。
【００３８】
検索リスト機能部２１０（図３参照）は、店舗ＤＢ７２に登録されている店舗のうちエリア番号が一致する店舗の店舗情報を抽出して読み込み、店舗一覧画面２１０Ａ（飲食店一覧表示画面）に表示する。また、検索リスト機能部２１０は、タッチされると検索条件画面２２０Ａを表示する条件変更ボタン２１１と、タッチされると検索結果を地図表示する地図上店舗表示画面２３０Ａ（検索結果地図表示画面）を表示する地図表示ボタン２１２とを備えている。
【００３９】
条件変更機能部２２０は、検索リスト機能部２１０より店舗リスト、選択済キーワード、および遷移元といった情報を取得し、検索条件画面２２０Ａを表示する。この検索条件画面２２０Ａは、条件変更機能部２２０Ａによって設定された条件変更更新後のキーワードを検索リスト２１３にフィードバックする。この条件変更機能部２２０により、ユーザは、希望条件に合う飲食店を容易に検索して見つけ出すことができる。
【００４０】
一覧地図機能部２３０は、図７（Ｋ）に示す地図上店舗表示画面２３０Ａを表示する。一覧地図機能部２３０は、タッチされると検索条件画面２２０Ａを表示する条件変更ボタン２３１、タッチされると店舗一覧画面２１０Ａを表示するリスト表示ボタン２３２、地図画像と店舗マーク２３４（２３４Ａ，２３４Ｂ）と選択店舗名表示部２３５を表示する地図表示部２３３を備えている。店舗マーク２３４は、入ったことの有無や、お気に入り登録の有無等によって第１種店舗マーク２３４Ａと第２種店舗マーク２３４Ｂで色分けする、あるいはマーク形状を異ならせる等してわかりやすく表示してもよい。また、地図表示部２３３には、拡大表示ボタン２３７および縮小表示ボタン２３８が備えられている。この地図上店舗表示画面２３０Ａにより、ユーザは、現在地や目的地に近い範囲等の希望の領域において、お試しで気軽に入店できる店舗を容易に探すことができる。
【００４１】
店舗詳細機能部２４０は、店舗一覧画面２１０Ａまたは地図上店舗表示画面２３０Ａで一店舗が選択された場合に、選択された店舗の詳細情報を示す店舗詳細画面２４０Ａ（図８（Ｌ）参照）を表示する。店舗詳細機能部２４０は、店舗名表示部２４１、タッチされるとその店舗の電話番号へ架電をする架電ボタン２４２、その店舗の地図を表示する地図表示ボタン２４３、その店舗の情報を表示するお店紹介タブ２４５、および関連情報を表示する関連情報タブ２４６が設けられている。
【００４２】
図８（Ｍ）は、店舗詳細画面２４０Ａにおいてお店紹介タブ２４５が選択された場合に表示する内容を示す。このときの店舗詳細画面２４０Ａには、店舗の写真や説明、メニュー、価格帯等を表示する店舗詳細情報表示部２４７が設けられている。
【００４３】
図８（Ｎ）は、店舗詳細画面２４０Ａにおいて関連情報タブ２４６が選択された場合に表示する内容を示す。このときの店舗詳細画面２４０Ａには、その店舗のサービス内容や基本情報（電話番号、住所、営業時間、定休日、カード利用の可否）、環境・設備情報（席数、個室の有無、禁煙か喫煙か、その他の設備等）、およびお気に入りに登録するボタン２４８が設けられている。
【００４４】
個別地図機能部２５０は、トップ画面１２０Ａで現在位置ボタン１２１がタッチされたとき、または、店舗詳細画面２４０Ａで地図表示ボタン２４３がタッチされたときに個別地図表示画面２５０Ａ（図８（Ｏ）参照）が表示されて機能する。個別地図表示画面２５０Ａには、詳細に戻るボタン２５１と、地図表示部２５２が設けられている。詳細に戻るボタン２５１がタッチされると、個別地図機能部２５０は、店舗詳細画面２４０Ａ（図８（Ｌ）参照）を表示する。地図表示部２５２には、ユーザが選択した店舗を示す店舗マーク２５４、ユーザが選択した店舗名を表示する店舗名表示部２５３、地図表示を拡大する拡大ボタン２５５、縮小する縮小ボタン２５６を表示する。
【００４５】
図４に示すように、履歴系の処理を実行するとき、ユーザアプリ５１に従って動作するユーザ端末４の制御部４１は、トップ機能部１２０、履歴リスト機能部３１０、設定機能部１３０、店舗詳細機能部２４０、及び個別地図機能部２５０として機能する。
【００４６】
履歴リスト機能部３１０は、上述した入店履歴画面３１０Ａ（図８（Ｐ）参照）を表示する。
【００４７】
図５に示すように、更新履歴系の処理を実行するとき、ユーザアプリ５１に従って動作するユーザ端末４の制御部４１は、トップ機能部１２０、更新履歴機能部４１０、設定機能部１３０、及びブラウザアプリ５３として機能する。
【００４８】
更新履歴機能部４１０は、上述した更新情報画面４１０Ａ（図８（Ｑ）参照）を表示する。更新履歴機能部４１０は、全ての更新履歴を既読状態に状態変更する全て既読にするボタン４１１と、複数のお知らせ情報が一覧表示されたお知らせ一覧部４１２が設けられている。
【００４９】
以上の構成および動作により、少量の注文で試すことができ、かつ、好みの飲食店ではなかった場合に遠慮なく退店することを容易にできる飲食店利用促進システムを提供できる。
【００５０】
利用者は、予め定められた共通料金（設定単価，例えば税別５００円等）に人数を乗算した金額で入店時に決済し、その上で定められた飲食を行うことができる。定められた飲食は、例えばお試しセットとして飲料（主に酒類）１杯とおつまみとすることができる。このため、利用者は１杯試して気に入れば別途追加注文をその飲食店で行い、追加部分の清算を飲食店で実行すればよく、気に入らなければ決済完了しているために追加注文せずに気軽に退店できる。
【００５１】
このようにして利用者が未経験の飲食店を気軽に試せるため、飲食店は新規顧客が訪れる回数を増加させることができる。従って、新規顧客の獲得を見込め、そこから常連になってくれる顧客を獲得していくことも可能となって、飲食店の満足度が向上する。
【００５２】
利用者にとっては、様々な飲食店を気軽に試せることで、気に入っている飲食店を増加させて生活の豊かさを向上させることができる。
【００５３】
利用者は、システム登録してログインしておき、飲食店を識別する店舗ＩＤ等を入力または読み込み、利用人数を入力することで決済を進めていくことができるため、簡単な操作で利用することができる。
【００５４】
また、このシステムでの決済はユーザ端末４の操作で完結するため、飲食店に対して直接料金を支払う必要がない。このために、その飲食店を利用するというよりもシステム参加の系列店を利用するような気軽さで利用できる。
【００５５】
飲食店は、事前に決済完了してから定められた飲食物（お試しセットなど）を提供すれば良いため、一見の客による無銭飲食のリスクを回避でき、確実に回収することができる。
【００５６】
決済サーバ２での決済は、店舗ＩＤ等の飲食店識別情報を用いずに、ユーザ端末４で入力されるユーザのクレジットカード番号等のユーザ情報と利用料金（合計金額）のみで実行されるため、どの飲食店を利用したという利用者のプライバシーを保護することができる。その上で、カード決済した料金から手数料を引いた分配金をシステム運営事業者から飲食店へ納入するため、飲食店としてもカード決済での確実な料金徴収を実施できる。
【００５７】
また、店舗ＩＤを店舗の端末等から非接触で取得するＢｌｕｅｔｏｏｔｈ（登録商標）４３ｃ、利用人数を入力するタッチパネル４３ａ、ユーザ端末４の記憶部４２（又は管理サーバ６の記憶部６２）に記憶されている設定単価という３経路から取得した情報を用いて決済を実施するため、必要な情報を容易かつ適切に取得して確実に決済を実施することができる。
【００５８】
また、決済金額を利用人数の入力のみで決定できるため、容易な操作で確実に適切な金額での決済を実現できる。  
また、増加ボタン１６２と減少ボタン１６３のタッチによって利用人数を入力できるため、利用人数の入力を直観的に解かりやすいインターフェースで容易かつスピーディーに実行できる。特に、料理の単価やメニューといった飲食店での清算に必須となる項目でかつ煩雑な項目の入力が不要であるために増加ボタン１６２と減少ボタン１６３を普通人の指の面積よりも大きなボタンとすることができる。これにより、ユーザは押し間違いもなく容易に操作できる。
【００５９】
また、人数確認画面１６０Ａでは、初期設定として利用人数に０または１が設定されているため、ユーザーは直観的に人数を増加させて適切に利用できる。さらに、このように利用人数を入力することで、複数人で飲食店を利用する場合に、誰か一人がユーザアプリ５１をユーザ端末４にインストールしていれば利用できる。従って、本システムの利用を促進することができる。
【００６０】
また、決済が無事完了した後に、決済を実施した日時、飲食店名、および利用人数を表示する受付完了画面１７０Ｂをユーザ端末４の表示部４４に表示する構成であるため、ユーザ自身が適切に決済できたかをその場で確認できるとともに、飲食店もきちんと決済されているか確認した上で飲食物を提供できる。
【００６１】
また、ユーザが一度利用した店舗はユーザ端末４や管理サーバ６に入店履歴として記憶されるため、再利用を促すことができる。これによって、利用者はお試しして気に入った店舗を忘れることなく再利用でき、飲食店は、利用者に気に入ってもらうことで常連顧客の増加を図ることができる。
【００６２】
このようにして、本実施形態によりお試し利用を促進することができるため、旅行者の来店を促し地域の活性を図ることもできる。
【実施例２】
【００６３】
次に、ポイント機能を追加した実施例２について説明する。この実施例２のハードウェア構成は、図１と共に実施例１で説明したハードウェア構成（飲食店利用促進システム１として、インターネット９に接続された決済サーバ２、ユーザ端末４、管理サーバ６、および外部ＷＥＢサーバ８を用いる構成）と同一であるため、その詳細な説明を省略する。以下、ソフトウェアによる機能について説明するが、実施例１と機能同一の構成要素については同一符号を付してその詳細な説明を省略する。
【００６４】
図９は、入店系の処理を示す機能ブロック図であり、図１０は、検索系の処理を示す機能ブロック図であり、図１１は、履歴系の処理を示す機能ブロック図であり、図１２及び図１３は、設定系の処理を示す機能ブロック図であり、図１４は、更新履歴の処理を示す機能ブロック図である。また、図１５〜図１７は、各処理においてユーザ端末４の表示部４４に表示する画面を示す画面説明図である。
【００６５】
各機能部は、ユーザ端末４にインストールされたユーザアプリ５１によって動作する機能部であり、表示部４４に表示した画面のオブジェクトに対するタッチ（若しくは押下。以下同じ）を入力部４３のタッチパネル４３ａで検出し、画面遷移、表示内容の変更、文字入力状態への移行、飲食店の端末からの飲食店識別情報の読み取り実行状態への移行等の適宜の動作を実行する。
【００６６】
まず、入店系の処理について、実施例１の図２と異なる部分を中心に、図９と共に説明する。入店系の処理を実行するとき、ユーザアプリ５１に従って動作するユーザ端末４の制御部４１は、起動ページ機能部１１０、トップ機能部１２０、ログイン機能部７３０、番号入力機能部１４０、店舗確認人数選択機能部７５０、店舗詳細機能部７８０、カード選択機能部７６０、カード登録機能７９０、決済前機能部１１１０、および決済完了機能部１７０として機能する。
【００６７】
起動ページ機能部１１０は、ユーザ端末４においてユーザアプリ５１が起動すると、図１５（Ａ）のトップ画面６２０Ａを表示部４４に表示する。
【００６８】
トップ機能部１２０は、トップ画面６２０Ａ上で操作される機能を有している。このトップ画面６２０Ａは、実施例１のトップ画面１２０Ａに機能追加されたものである。
【００６９】
トップ画面７２０Ａにはポイントボタン７０１が設けられている。ポイントボタン７０１がタッチされると、管理サーバ６（図１参照）に記憶されているユーザ情報ＤＢ（図示省略）に登録されているポイント数を参照して現在利用可能なポイントを表示する（図１５（Ａ）参照）。尚、ポイントは、店舗を利用しようとする利用者にあらかじめ付与されている。ポイントを取得した利用者は、店舗での支払いに際してポイントを利用して支払いできる。
【００７０】
トップ機能部１２０は、更新情報ボタン１０１がタッチされると更新情報画面４１０Ａ（図１７（Ｑ）参照）を表示し、設定ボタン１０３がタッチされると設定画面７３０Ｂ（図１５（Ｃ）参照）を表示し，入店ボタン１２２がタッチされるとお試し店舗選択画面１４０Ａ（図１５（Ｄ）参照）を表示し、探すボタン１２３がタッチされると店舗検索画面２１０Ａ（図１６（Ｉ）参照）を表示し、履歴ボタン１２４がタッチされるとお試し入店履歴画面３１０Ａ（図１７（Ｐ）参照）を表示する。
【００７１】
ログイン機能部７３０は、ログイン画面１３０Ａ（図１５（Ｂ）参照）を表示し、ユーザーＩＤとパスワードの入力を受け付け、ログインボタン１３３がタッチされるとログイン処理を実行する。なお、ログイン画面１３０Ａは、ユーザーＩＤ入力部１３１、パスワード入力部１３２、ログインボタン１３３、および新規登録はコチラボタン１３４に加えて、パスワードを忘れた利用者に再発行を行うパスワードを忘れた場合はコチラボタン１３９が設けられている。
【００７２】
番号入力機能部１４０は、お試し店舗選択画面１４０Ａ（図１５（Ｄ）参照）を表示する。番号入力機能部１４０は、店舗に設置されている店舗端末にユーザ端末４をタッチするか、または店舗端末に記載の店舗ＩＤを店舗番号入力部１４１に直接入力して、お試し店舗の情報を取得する。
【００７３】
店舗確認人数選択機能部７５０は、実施例１の店舗確認機能部１５０と人数選択機能部１６０の機能をまとめたものであり、お支払い情報入力画面７６０Ａ（図１５（Ｆ）参照）を表示する。このお支払い情報入力画面７６０Ａは、実施例１の人数確認画面１６０Ａにポイント支払い機能が追加されたものである。また、お支払い情報入力画面７６０Ａは、実施例１の入店受付画面１５０Ａに表示されていた店舗詳細情報表示部１５１の一部（店舗名および店舗写真）が表示されており、この一画面で店舗確認と人数入力ができるように構成されてる。
【００７４】
店舗確認人数選択機能部７５０は、お支払い情報入力画面７６０Ａの店舗を確認ボタン７５１がタッチされると、実施例１の店舗確認機能部１５０に相当する店舗詳細機能部７８０を起動する。この店舗詳細機能部７８０は、実施例１の入店受付画面１５０Ａに表示された店舗詳細情報表示部１５１と同じ情報を表示する。具体的には、店舗詳細画面２４０Ａ（図１６（Ｍ）参照）を表示する。この実施例２では、入店有無表示部２４９が追加されている。入店有無表示部２４９は、過去に入店していれば「入店済み」、過去に入店していなければ「入店未」といったように入店有無を表示する。
【００７５】
また、お支払い情報入力画面７６０Ａは、入店する合計人数を示す入店する人数表示部７６１と、そのうちのポイントで入店する人数を表示するポイントで入店する人数表示部７６１Ａを備えている。入店する人数表示部７６１の両横には、タッチされると入店する人数を一人ずつ増加できる増加ボタン７６２と、タッチされると入店する人数を一人ずつ減少できる減少ボタン７６３とが表示されている。同様に、ポイントで入店する人数表示部７６１Ａの両横には、タッチされるとポイントで入店する人数を一人ずつ増加できる増加ボタン７６２Ａと、タッチされるとポイントで入店する人数を一人ずつ減少できる減少ボタン７６３Ａとが表示されている。さらに、お支払い情報入力画面７６０Ａには、カード選択へ進むボタン７６４が表示されている。なお、増加ボタン７６２Ａは、ポイントで入店する人数表示部７６１Ａの人数が、入店する人数表示部７６１と同一人数になると、それ以上多く入力できない構成となっている。このとき、増加ボタン７６２Ａは、ポイント利用人数入力制限手段として機能する。
【００７６】
カード選択機能部７６０は、上述のカード選択へ進むボタン７６４（図１５（Ｆ）参照）がタッチされると起動し、決済に用いるクレジットカードを選択する。このとき、カード選択機能部７６０は、管理サーバ６（図１参照）に記憶されているカード情報ＤＢ６７７を参照し、ユーザＩＤにカード情報が登録されていれば、そのカード情報を取得して使用カードとして選択する。登録されていなかった場合は、カード登録機能部７９０（図９参照）を起動し、図示省略するカード情報登録画面にてクレジットカードのカード会社、カード番号、有効期限、及びセキュリティコード等の必要情報の登録を受け付ける。この登録時に入力されたカード情報は、決済代行会社の決済ＤＢ３２へ送信されて与信照会がなされ、使用可能なカード情報であればそのままカード情報ＤＢ６７７に登録されるとともに使用カードとして選択され、入力内容に誤りがある場合など使用不可能なカード情報であれば、エラーメッセージを表示する。
【００７７】
決済前機能部１１１０は、お支払い内容確認画面７６０Ｂ（図１５（Ｇ）参照）を表示する。お支払い内容確認画面７６０Ｂには、店舗名とサービス内容（１ドリンク＋１フード）と単価とポイント利用条件が示される店舗情報表示部７６５と、入店人数とポイント利用人数が示される人数情報表示部７６６と、決済に用いるクレジットカードの情報を表示するカード情報表示部７６７と、決済実行を行うためのお支払いボタン７６８が設けられている。このお支払い内容確認画面７６０Ｂ（図１５（Ｇ）参照）でお支払いボタン７６８がタッチされると、決済前機能部１１１０は、決済内容を確定し、日時、店舗番号、ユーザＩＤ、使用ポイント数、人数、金額、カード情報および開始区分を決済登録ＤＢ７４に登録し、入店受付画面１７０Ｂ（図１６（Ｈ）参照）を表示する。
【００７８】
この決済を行うとき、ポイントが利用されていれば、入店人数からポイント利用人数を減算した数量に設定単価を乗算した金額をクレジットカード決済する。これにより、利用者にとってわかりやすいポイント利用を実現でき、利用者の満足度を向上させることができる。
【００７９】
この場合、店舗側に対しては、ポイント利用数に関係なく、設定単価に添付向け分配割合を乗算した金額に入店人数を乗算した金額を分配料金として運営事業者から支払う。これにより、店舗側はポイント利用がなされても収益性に影響することなく利用でき、店舗運営者の満足度を向上させることができる。
【００８０】
次に、検索系の処理について、実施例１の図３と異なる部分を中心に、図１０と共に説明する。
【００８１】
検索系の処理では、トップ機能部１２０と検索リスト機能部２１０の間にエリアリスト機能部１１１０が設けられている。このエリアリスト機能部１１１０は、管理サーバ６（図１参照）に記憶されているエリア情報ＤＢ６７８を参照し、エリア情報をリスト表示する。このエリア情報は、地域名とすることができ、県単位、市単位、町単位、繁華街単位など、適宜のエリア別に設定登録されている。エリアが選択されると、エリアリスト機能部１１１０は、エリア番号を検索リスト機能部２１０へ受け渡す。
【００８２】
エリアマップ機能部１１２０は、エリアリスト１１１０で選択可能なリストを地図表示するものであり、地図をエリア別に区分けして表示する。この地図上でエリアが選択されると、エリアマップ機能部１１２０は、エリア番号を検索リスト機能部２１０へ受け渡す。
【００８３】
次に、履歴系の処理について、実施例１の図４と異なる部分を中心に、図１１と共に説明する。
【００８４】
履歴リスト機能部３１０は、入店履歴画面３１０Ａ（図１７（Ｐ）参照）を表示する。このとき、履歴リスト機能部３１０は、メール送信管理ＤＢ６７９を参照し、成否情報を取得して、メールアイコン３１５に成否情報を表示する。すなわち、「成」であればメールアイコン３１５に「○」マークを表示し、「否」であればメールアイコン３１５に図示するように「×」マークを表示する。
【００８５】
次に、設定系の処理について、図１２及び図１３と共に説明する。  
図１２に示すように、設定機能部１３０から呼び出せる機能部として、ログイン機能部１２１０、新規Ｕ登録機能部１２２０、新規Ｕ確認機能部１２３０、Ｍ変更申請機能部１２４０、Ｍ変更確認機能部１２５０、ＰＷＤ変更機能部１２６０、ＰＷＤ再設定機能部１２７０、およびＰＷＤリセット機能部１２８０が設けられている。
【００８６】
ログイン機能部１２１０は、管理サーバ６に記憶されているユーザ情報ＤＢ（図示省略）にアクセスしてユーザＩＤとパスワードが正しいかログインチェック部１３１０によって確認し、正しければユーザ情報を取得する。
【００８７】
新規Ｕ登録機能部１２２０は、新規ユーザーの登録を受け付け、入力されたユーザＩＤ、メールアドレス、パスワード、および生年月日をユーザ仮登録部１３２０で仮登録し、成否情報を表示する。仮登録が成功した場合は、承認用パスワードを仮登録されたメールアドレスへ送信する。
【００８８】
新規Ｕ確認機能部１２３０は、上記承認用パスワードが入力されると、ユーザ本登録部１３３０で成否判定し、正しければ登録成功として仮登録したユーザ情報をユーザ情報ＤＢに新規ユーザとして本登録する。
【００８９】
Ｍ変更申請機能部１２４０は、設定画面７３０Ｂ（図１５（Ｃ）参照）のメールアドレスの変更部７３１がタッチされることでメールアドレスの変更申請を受け付け、入力された変更前アドレスと変更後アドレスをＭ変更受付部１３４０によって成否判定する。変更前アドレスが誤っている場合や変更後アドレスが不適切な場合、Ｍ変更申請機能部１２４０は、変更不可を表示し、そうでなければ受け付けた旨を表示するとともに承認用パスワードをユーザ情報ＤＢに登録されているメールアドレスへ送信する。
【００９０】
Ｍ変更確認機能部１２５０は、承認用パスワードの入力を受け付けて成否判定を行い、正しい承認用パスワードが入力されていればメールアドレスの変更を承認してユーザ情報ＤＢのメールアドレスを変更後アドレスに変更する。正しい承認用パスワードが入力されなければベールアドレスの変更を行わない。
【００９１】
ＰＷＤ変更機能部１２６０は、設定画面７３０Ｂ（図１５（Ｃ）参照）のパスワードを変更する部７３２がタッチされることでパスワードの変更申請を受け付け、入力された変更前パスワードと変更後パスワードをＰＷＤ変更部１３６０によって成否判定する。変更前パスワードが誤っている場合や変更後パスワードが不適切な場合、ＰＷＤ変更部１３６０は、変更不可を表示し、そうでなければ受け付けた旨を表示する。
【００９２】
ＰＷＤ再設定機能部１２７０は、ログイン画面１３０Ａ（図１５（Ｂ）参照）のパスワードを忘れた場合はコチラボタン１３９がタッチされると起動し、ユーザＩＤを送信してカード情報取得部１３７０によりユーザＩＤの成否判定を行い、正しければ承認用パスワードをユーザ情報ＤＢに登録されているメールアドレスへ送信する。
【００９３】
ＰＷＤリセット機能部１２８０は、上記承認用パスワードと変更後パスワードの入力を受け付け、カード登録部１３８０によって成否判定する。承認用パスワードが誤っている場合や変更後パスワードが不適切な場合、ＰＷＤリセット部１２８０は、変更不可を表示し、そうでなければ受け付けた旨を表示する。
【００９４】
図１３に示すように、設定機能部１３０は、カード一覧機能部１４１０、カード登録機能部１４２０、メール送信管理部１４５０、および退会処理部１４６０を呼び出せる。  
カード一覧機能部１４１０は、ユーザＩＤをカード情報取得部６７７へ送信し、登録されているクレジットカードを取得して一覧表示する。カード情報取得部６７７は、ユーザ番号（ユーザＩＤ）を決済ＤＢ３２へ送信してカード情報を取得し、カード一覧機能部１４１０へ送信する。
【００９５】
カード登録機能部１４２０は、設定画面７３０Ｂ（図１５（Ｃ）参照）のクレジットカードを登録する部７３３がタッチされると起動し、入力されたカード情報をカード登録部６７４に送信し、成否情報を受け取る。カード登録部６７４は、カード情報とユーザ番号（ユーザＩＤ）を決済代行会社の決済ＤＢ３２へ送信し、与信照会を受けて、使用可能なカード情報であればそのままカード情報ＤＢ６７７に登録するとともに成功情報をカード登録部１４２０へ送信し、入力内容に誤りがある場合など使用不可能なカード情報であれば、エラーメッセージをカード登録部１４２０へ送信する。
【００９６】
メール送信管理部１４５０は、設定画面７３０Ｂ（図１５（Ｃ）参照）の店舗からの情報を受け取る部７３４がタッチされると起動し、設定機能部１３０よりユーザＩＤ、メール受信設定（ＯＮ／ＯＦＦ）を受け取り、メール送信の成否情報を設定機能部１３０へ送信する。
【００９７】
退会処理部１４６０は、設定機能部１３０から退会リクエストを受け付け、成否情報を設定機能部１３０へ送信する。また、成功の場合は、退会時のお礼文をユーザ情報ＤＢに登録されていたメールアドレスへ送信する。
【００９８】
次に、更新履歴の処理について、実施例１の図５と異なる部分を中心に、図１４と共に説明する。  
トップ機能部１２０は、ポイント機能部１５１０を呼び出すことができる。ポイント機能部１５１０は、登録されているポイントの確認、適宜のサービスによるポイント登録など、ポイントに関する処理を行うことができる。
【００９９】
その他の構成要素については、実施例１と同一であるため、同一の構成要素に同一符号を付して詳細な説明を省略する。
【０１００】
以上の構成により、実施例１と同一の作用効果を奏することができる。  
また、ポイントを利用できるため、利用者は、ポイントを利用して店舗を利用することができる。
【０１０１】
また、ポイントの利用は、人数単位で利用できる構成であるため、料金計算が複雑になることがなく、解かりやすい計算で利用することができる。
【０１０２】
また、増加ボタン７６２Ａは、ポイントで入店する人数表示部７６１Ａの人数が、入店する人数表示部７６１と同一人数になると、それ以上多く入力できない構成となっているため、入店人数と同一人数をポイント利用人数の最大とでき、実際に入店する人数以上にポイント利用人数が多いという不適切な状態が生じないようにできる。
【０１０３】
また、ポイント利用がされた場合、ユーザのクレジットカードから引き落とされるのは、入店人数からポイント利用人数が減算された数に設定単価が乗算された金額である。このため、利用者にとって何人分の支払いであるかわかりやすく、利用者の満足度を向上させることができる。
【０１０４】
また、利用者によるポイント利用の有無が収益性に影響を与えないため、店舗運営者の満足度を向上させることができる。
【０１０５】
この発明における飲食店利用促進システムは、実施形態の飲食店利用促進システム１に対応し、以下同様に、
決済サーバは、決済サーバ２に対応し、
ユーザ端末は、ユーザ端末４に対応し、
管理サーバは、管理サーバ６に対応し、
制御手段は、制御部４１に対応し、
入力手段は、入力部４３に対応し、
接触操作型入力手段は、タッチパネル４３ａに対応し、
リーダーユニットは、ＢｌｕｅＴｏｏｔｈ（登録商標）４３ｃに対応し、
ＧＰＳユニットは、ＧＰＳ４３ｄに対応し、
非接触型入力手段は、カメラ４３ｅに対応し、
表示手段は、表示部４４に対応し、
通信手段は、通信部４５に対応し、
飲食店利用促進プログラムは、ユーザアプリ５１に対応し、
利用人数入力要請画面は、人数確認画面１６０Ａに対応し、
一人加算ボタンは、増加ボタン１６２に対応し、
一人減算ボタンは、減少ボタン１６３に対応し、
受付完了画面は、受付完了画面１７０Ｂに対応し、
合計金額算出手段は、決済前表示部５０１に対応するが、
この発明は本実施形態に限られず他の様々な実施形態とすることができる。
【０１０６】
例えば、設定単価を全店舗共有の１つの価格としたが、３つ等の複数の価格種別を設定し、店舗別にどの価格種別とするかを管理サーバ６に記憶させておく構成とすることもできる。この場合、店舗が決まると単価が決まるため、利用者は、単価を入力することなく人数を入力するだけで支払料金を理解することができる。
【０１０７】
また、入店人数とポイント利用人数を入力する構成としたが、カード払い人数とポイント利用人数を入力して合計人数が別途自動表示される構成としても良い。この場合でも同一の作用効果を奏することができる。
【産業上の利用可能性】
【０１０８】
この発明は、飲食店の利用を促進するような産業に利用することができる。
【符号の説明】
【０１０９】
１…飲食店利用促進システム
２…決済サーバ
４…ユーザ端末
６…管理サーバ
４１…制御部
４３…入力部
４３ａ…タッチパネル
４３ｃ…ＢｌｕｅＴｏｏｔｈ（登録商標）
４３ｄ…ＧＰＳ
４３ｅ…カメラ
４４…表示部
４５…通信部
５１…ユーザアプリ
１６０Ａ…人数確認画面
１６２…増加ボタン
１６３…減少ボタン
１７０Ｂ…受付完了画面
５０１…決済前表示部
７６２Ａ…増加ボタン
【図１】
2017174366.tif 000003
【図２】
2017174366.tif 000004
【図３】
2017174366.tif 000005
【図４】
2017174366.tif 000006
【図５】
2017174366.tif 000007
【図６】
2017174366.tif 000008
【図７】
2017174366.tif 000009
【図８】
2017174366.tif 000010
【図９】
2017174366.tif 000011
【図１０】
2017174366.tif 000012
【図１１】
2017174366.tif 000013
【図１２】
2017174366.tif 000014
【図１３】
2017174366.tif 000015
【図１４】
2017174366.tif 000016
【図１５】
2017174366.tif 000017
【図１６】
2017174366.tif 000018
【図１７】
2017174366.tif 000019